(57)【要約】【課題】ゲーム機の本体枠（筐体）側に施錠装置の基枠体を取り付けるようにして、前面枠（前扉）の軽量化を図ると共に、前面枠（前扉）の開閉の操作性を向上させることができるゲーム機の施錠装置を提供する。【解決手段】縦長の基枠体１の上部と下部に鉤部材２，３が正面に突出し且つ上下に傾動可能に枢支される。基枠体の中間部にシリンダ錠５がその錠軸を内側に挿入し且つ鍵穴面を正面側に突出して取り付けられる。基枠体１がゲーム機の本体枠の内側に取り付けられ、受け金具２０，２１がゲーム機の前面枠に取り付けられる。シリンダ錠５の周囲を覆うシリンダ錠カバー１８が装着され、前面枠には前面枠の閉鎖時にシリンダ錠カバー１８が進入する開口凹部３２が設けられる。前面枠を本体枠に対し閉じた際、シリンダ錠カバー１８の先端形状が前面枠の前面形状と連続するようにした。【選択図】図６
2006255244.tif 000002
【特許請求の範囲】
【請求項１】
縦長の基枠体の上部と下部に鉤部材が正面に突出し且つ上下に傾動可能に枢支され、該上下の鉤部材が該基枠体の内側に摺動可能に配設された連結杆により連結され、該基枠体の中間部にシリンダ錠がその錠軸を内側に挿入し且つ鍵穴面を正面側に突出して取り付けられ、該錠軸の先端に該連結杆と係合可能なカム板が固定され、該基枠体がゲーム機の本体枠の内側に取り付けられ、受け金具がゲーム機の前面枠に取り付けられ、該受け金具に該鉤部材が係止されて該前面枠を施錠するゲーム機の施錠装置であって、
該シリンダ錠の周囲を覆うシリンダ錠カバーが装着され、該前面枠には該前面枠の閉鎖時に該シリンダ錠カバーが進入する開口凹部が設けられ、該前面枠を本体枠に対し閉じた際、該シリンダ錠カバーの先端形状が前面枠の前面形状と連続するように該シリンダ錠カバーが形成されたことを特徴とするゲーム機の施錠装置。
【請求項２】
縦長の基枠体の内側に、連結杆が摺動可能に配設されると共に、該基枠体の上部と下部に鉤部材が正面を向き且つ上下に傾動可能に枢支され、該連結杆の上部と下部が該上下の鉤部材に連結され、該基枠体の中間部にシリンダ錠がその錠軸を内側に挿入し且つ鍵穴面を正面側に突出して取り付けられ、該錠軸の先端に該連結杆と係合可能な係合板が固定され、該基枠体がゲーム機の筐体内に縦に取り付けられ、該ゲーム機の前扉の対応位置に受け金具が固定され、該鉤部材が該受け金具に係止されて該前扉が施錠され、該シリンダ錠による該錠軸の回動により該連結杆が摺動して解錠されるゲーム機の施錠装置であって、
該筐体の前面側部にシリンダ錠カバーが突設され、該シリンダ錠カバー内に該シリンダ錠が挿入・配置され、該前扉にはその閉鎖時に該シリンダ錠カバーが進入する開口凹部が設けられ、該前扉を閉鎖した際、該シリンダ錠カバーが該開口凹部に嵌入することを特徴とするゲーム機の施錠装置。
【発明の詳細な説明】
【技術分野】
【０００１】
本発明は、パチンコ機、スロットマインなどのゲーム機の本体枠（筐体）に対し、開閉可能に装着された前面枠（前扉）を施錠するゲーム機の施錠装置に関し、特に、前面枠（前扉）側に取り付く部材を、受け金具のみとすることができるゲーム機の施錠装置に関する。
【背景技術】
【０００２】
従来、例えば、パチンコ機の前面枠を本体枠に対し施錠する装置として、取付板と支持板を断面Ｌ形に成形した縦長の基枠体の内側に、連結杆が摺動可能に配設され、支持板の上部と下部に鉤部材が傾動可能に枢支され、連結杆の上下端部が鉤部材に連結され、取付板の中間部にシリンダ錠がその錠軸を取付板に設けた孔から内側に差し込むように取付けられ、錠軸の先端に連結杆と係合するカム板が固定されてなる施錠装置が、広くに使用されている（例えば下記特許文献１を参照）。
【特許文献１】実公昭５７−８８６７号公報
【発明の開示】
【発明が解決しようとする課題】
【０００３】
この種の施錠装置は、基本的にはパチンコ機の前面枠の内側に装着され、鉤部材を本体枠側に突出した状態で、取付板を介して基枠体を縦に取り付け、鉤部材が係止可能な受け金具を、パチンコ機の本体枠の対応位置に取り付け、取付板に固定したシリンダ錠の正面を前面枠の正面に現して装着される。周知のように、近年のパチンコ機の前面枠には、装飾用照明器具、遊技盤、賞球払出装置、球発射装置、表示装置、制御盤など各種の電気部品、装飾部品などが数多く装着されているため、施錠装置を取り付けるためのスペースが非常に狭く制限される。さらに、各種の電気部品等を取り付けた前面枠の重量は、非常に重くなり、開閉の操作性を考慮して、前面枠の重量をできるだけ軽くするように、前面枠の軽量化が要望されている。
【０００４】
本発明は、上記の点に鑑みなされたもので、ゲーム機の本体枠（筐体）側に施錠装置の基枠体を取り付けるようにして、前面枠（前扉）の軽量化を図ると共に、前面枠（前扉）の開閉の操作性を向上させることができるゲーム機の施錠装置を提供することを目的とする。
【課題を解決するための手段】
【０００５】
このために、本発明の請求項１の施錠装置は、縦長の基枠体の上部と下部に鉤部材が正面に突出し且つ上下に傾動可能に枢支され、該上下の鉤部材が該基枠体の内側に摺動可能に配設された連結杆により連結され、該基枠体の中間部にシリンダ錠がその錠軸を内側に挿入し且つ鍵穴面を正面側に突出して取り付けられ、該錠軸の先端に該連結杆と係合可能なカム板が固定され、該基枠体がゲーム機の本体枠の内側に取り付けられ、受け金具がゲーム機の前面枠に取り付けられ、該受け金具に該鉤部材が係止されて該前面枠を施錠するゲーム機の施錠装置であって、該シリンダ錠の周囲を覆うシリンダ錠カバーが装着され、該前面枠には該前面枠の閉鎖時に該シリンダ錠カバーが進入する開口凹部が設けられ、該前面枠を本体枠に対し閉じた際、該シリンダ錠カバーの先端形状が前面枠の前面形状と連続するように該シリンダ錠カバーが形成されたことを特徴とする。
【０００６】
また、請求項２の施錠装置は、縦長の基枠体の内側に、連結杆が摺動可能に配設されると共に、該基枠体の上部と下部に鉤部材が正面に突出し且つ上下に傾動可能に枢支され、該連結杆の上部と下部が該上下の鉤部材に連結され、該基枠体の中間部にシリンダ錠がその錠軸を内側に挿入し且つ鍵穴面を正面側に突出して取り付けられ、該錠軸の先端に該連結杆と係合可能な係合板が固定され、該基枠体がゲーム機の筐体内に縦に取り付けられ、該ゲーム機の前扉の対応位置に受け金具が固定され、該鉤部材が該受け金具に係止されて該前扉が施錠され、該シリンダ錠による該錠軸の回動により該連結杆が摺動して解錠されるゲーム機の施錠装置であって、該筐体の前面側部にシリンダ錠カバーが突設され、該シリンダ錠カバー内に該シリンダ錠が挿入・配置され、該前扉にはその閉鎖時に該シリンダ錠カバーが進入する開口凹部が設けられ、該前扉を閉鎖した際、該シリンダ錠カバーが該開口凹部に嵌入することを特徴とする。
【発明の効果】
【０００７】
上記構成の施錠装置は、その基枠体が本体枠または筐体の縦枠の内側に縦に取り付けられ、ゲーム機の前面枠または前扉には受け金具のみが取り付けられる。このため、従来、前面枠（前扉）の内側に取り付けていた施錠装置本体の取付スペースが不要となり、前面枠には電気部品などを、余裕をもって配置することができ、また、前面枠内に取り付ける遊技盤、表示装置、装飾装置などを大きくするなど、ゲーム機の設計の自由度を上げることができ、また、前面枠の軽量化も可能となる。さらに、シリンダ錠は、本体枠（筐体）側に配置され、前面枠を閉じたとき、シリンダ錠の鍵穴面が前面枠の正面側に露出することになるが、シリンダ錠カバーがシリンダ錠の周囲を覆って装着され、その先端形状が前面枠の前面形状と連続するようにしているため、違和感なく鍵穴面を前面枠の一部に露出させることができる。
【発明を実施するための最良の形態】
【０００８】
以下、本発明の実施例を図面に基づいて説明する。図１はパチンコ機の施錠装置の正面図、図２はその右側面図を示し、図３はその左側面図を示し、図４はその分解側面図を示している。この施錠装置は、基本的には、縦長の基枠体１を備えて縦長に形成され、基枠体１の上部と下部に、鉤部材２，３が正面に突出し且つ上に傾動可能に枢支され、基枠体１の中間部に錠取付板部１ｂが設けられ、その錠取付板部１ｂにシリンダ錠５が正面側に突出して取り付けられている。
【０００９】
基枠体１は、金属板をプレス加工により所定の形状に打ち抜き及び曲げ加工して、所定の帯板状に形成され、基枠体１の正面縁部には前縁曲部１ａが、長手方向に沿って小さい幅で略直角に曲げられて形成されている。また、基枠体１の中間部には、シリンダ錠５を取り付けるための錠取付板部１ｂが、基枠体１の基本面から正面側に直角に曲げるように形成されている。
【００１０】
基枠体１の上部内側つまり左側面には、フック状の鉤部材２がその先端係止部を下方に向け且つ前面に突出するように位置し、枢軸２ａを介して水平位置から上方に傾動可能に枢支されている。同様に、基枠体１の下部内側つまり左側面の下部には、下側の鉤部材３がその先端係止部を下方に向け且つ前面に突出するように位置し、枢軸３ａを介して水平位置から上方に傾動可能に枢支されている。
【００１１】
基枠体１の内側（左側面）に沿って、帯状の連結杆４が摺動可能に配設され、この連結杆４の上端部が軸２ｂを介して上部の鉤部材２の末端に連結される。また、連結杆４の下端部が軸３ｂを介して下部の鉤部材３の末端に連結され、これにより、上下の鉤部材２，３が連結杆４によって連結され、連結杆４の下側への摺動により上下の鉤部材２，３は解錠動作を行なう。連結杆４には２個のガイド孔４ｂ、４ｃが形成され、各ガイド孔４ｂ、４ｃにガイド軸（ガイドピン）７ａ，７ｂを挿通して基枠体１側に固定することにより、連結杆４は所定の移動幅で上下動するようにガイドされる。また、連結杆４の中間部つまりシリンダ錠５に対応した箇所には、後述のカム板６と係合可能な係合部４ａが設けられている。
【００１２】
基枠体１の中間部に設けた錠取付板部１ｂには、シリンダ錠５が正面を向いて取り付けられている。シリンダ錠５はその元部にフランジ５ｂを有すると共に錠軸５ａを有し、錠取付板部１ｂに取り付ける場合、錠取付板部１ｂに設けた孔から錠軸５ａをその内側に挿入し、且つ鍵穴面を正面側に突出するように、フランジ５ｂを介して錠取付板部１ｂ上に固定ねじなどにより固定される。錠軸５ａの先端にカム板６が固定され、カム板６には、連結杆４の係合部４ａと係合可能な係合凸部が設けられており、シリンダ錠５に挿入したキーを右に回したとき、同方向にカム板６が回動し、これに伴い、連結杆４が下方に移動し、上下の鉤部材２，３は上方に傾動して解除動作を行なう。
【００１３】
また、連結杆４の内側に沿ってガラス枠作動杆８が摺動可能に配設され、このガラス枠作動杆８にもガイド孔８ｃが形成される。そして、そのガイド孔８ｃにガイド軸７ａが挿入され、ガラス枠作動杆８はガイド軸７ａにガイドされて所定の範囲で上下動可能である。なお、上記連結杆４とガラス枠作動杆８の間には、コイルばね９が掛け渡され、このコイルばね９により、連結杆４は上方に、ガラス枠作動杆８は下方に付勢されている。
【００１４】
ガラス枠作動杆８は、前面枠３０内に開閉可能に設けられたガラス枠３１のガラス枠施錠具２９を解除動作させる作動杆であり、ガラス枠作動杆８の上端に第１係合部８ａが、ガラス枠施錠具２９から内側に突設されたガラス枠解錠片２９ａに係合して押上げ可能に設けられている。また、図４のように、ガラス枠作動杆８の下部には第２係合部８ｂが設けられ、カム板６の回動時にカム板６の係合凸部がこの第２係合部８ｂに係合し、ガラス枠作動杆８を上方に摺動させる。
【００１５】
なお、ガラス枠施錠具２９についての詳細構造は、図面において省略されているが、ガラス枠施錠具２９はガラス枠施錠杆を摺動可能に設け、ガラス枠施錠杆には係止凹部が設けられ、ガラス枠施錠杆はコイルばねにより施錠側に付勢される。前面枠３０の内側に開閉可能に設けられたガラス枠３１の自由端側に、係止部が設けられ、ガラス枠３１を前面枠３０側に閉じた際、その係止部がガラス枠施錠杆の係止凹部に係止されてガラス枠が施錠される。そのガラス枠施錠杆にガラス枠解錠片２９ａが突設されている。
【００１６】
上記構成の施錠装置は、図５に示すような矩形枠状の本体枠１０の右側の縦枠１１の内側に、その基枠体１を固定して取り付けられる。さらに、図５，６に示すように、シリンダ錠５の周囲を覆うようにシリンダ錠カバー１８が縦枠１１の正面側に取り付けられている。このシリンダ錠カバー１８は合成樹脂により成形され、その先端部は前面枠３０の正面形状と連続して一体となる形状に形成される。つまり、前面枠３０を閉じたとき、シリンダ錠カバー１８の先端部が、前面枠３０の前面形状に連続し、視覚的に違和感なく前面枠の前面形状に溶け込むように形成されている。シリンダ錠カバー１８は、シリンダ錠５に対し、或は基枠体１に対し取り付けることができるが、本体枠１０の縦枠１１に対して取り付けることもできる。また、シリンダ錠５の鍵穴面は、シリンダ錠カバー１８から露出するように開口している。
【００１７】
一方、パチンコ機の本体枠１０は、例えば金属枠により形成され、両側に配置した縦枠１１，１２の上部に上辺枠１３を連結して固定し、縦枠１１，１２の下部に下辺枠１４を連結固定し、矩形枠状に形成される。また、その下辺枠１４の前には下前板１５が固定されて構成される。
【００１８】
各縦枠１１，１２、上辺枠１３、及び下辺枠１４は、例えば、アルミニウムなどの金属により中空形状に成形され、各枠の端部を相互に直角状態で嵌合し、固定ねじなどにより矩形枠状に連結固定したものである。下前板１５は合成樹脂などにより成形され、矩形枠の下部に固定ねじなどで固定されている。
【００１９】
本体枠１の前面には、前面枠３０がその左端部をヒンジを介して開閉可能に取付られ、図７、図８に示すように、前面枠３０を本体枠１に対し閉じた際、このシリンダ錠カバー１８の進入を許容するように、前面枠３０の対応箇所には、カバー１０に対応した形状の開口凹部３２が形成されている。また、前面枠３０の内側には、本体枠１側の鉤部材２，３の位置に対応して受け金具２０，２１が取り付けられている。
【００２０】
前面枠３０には、その中央部に装着された遊技盤を前面から覆うようにガラス枠３１がヒンジを介して開閉可能に装着され、前面枠３０の内側にガラス枠３１を施錠するガラス枠施錠具２９が取り付けられている。ガラス枠施錠具２９は、ガラス枠３１の端部に設けられた係止部を係止させる係止開口凹部を有する摺動板を有し、その摺動板をコイルばねにより施錠側に付勢して構成される。そして、ガラス枠３１を閉じると、ガラス枠の係止部が摺動板を摺動させながらその係止開口凹部に嵌入し、コイルはねの付勢力により係止状態となり、施錠される。摺動板には内側に向けてガラス枠解錠片２９ａが突設され、このガラス枠解錠片２９ａが押し上げられると、摺動板が上動して解錠される。
【００２１】
このようなガラス枠施錠具２９はガラス枠を受ける金枠の内側に収納され、前面枠３０を施錠する施錠装置においては受け金具２０，２１のみが前面枠３０の内側に取り付けられるのみとなり、施錠装置のためのスペースが不要となり、前面枠３０内に各種の電気部品などの設置スペースが増大する。
【００２２】
上記構成のパチンコ機の施錠装置は、パチンコ機の前面枠３０を閉じると、前面枠３０の受け金具２０，２１が本体枠１側に進入し、その上部と下部の鉤部材２，３が受け金具２０，２１に接触しながら上方に傾動し、その後、コイルばね９の付勢力により施錠位置に戻り、鉤部材２，３が受け金具２０，２１に係止され、図６のような施錠状態となる。このとき、シリンダ錠カバー１８に覆われたシリンダ錠５は、前面枠３０の開口凹部３２に進入して、シリンダ錠５の鍵穴面が正面に露出し、図６のように、開口凹部３２はシリンダ錠カバー１８により覆われた状態となる。
【００２３】
前面枠３０を解錠する場合は、前面枠３０の正面側の開口凹部３２内に位置するシリンダ錠５にキーを差し込み、シリンダ錠５の錠軸を右側に回すと、カム板６が同方向に回転し、そのカム板６の係合凸部が連結杆４の係合部４ａと係合してこれを下方に摺動させる。これにより、図７のように、上下の鉤部材２，３が上方へ回動し、前面枠３０側の受け金具２０、２１との係合が外れ、前面枠３０は解錠される。
【００２４】
このように、本施錠装置を使用するパチンコ機では、前面枠３０の内側に取り付けていた施錠装置本体の取付スペースが不要となり、前面枠３０には電気部品などを、余裕をもって配置することができる。また、前面枠３０の軽量化を図ることができる。さらに、前面枠３０内に取り付ける遊技盤、表示装置、装飾装置などを大きくするなど、設計の自由度を上げることができる。
【００２５】
図８〜図１８は他の実施形態のスロットマシン用の施錠装置を示している。施錠装置本体の正面を示す図８、その右側面を示す図９、その左側面を示す１０図、その分解図を示す図１１において、５１は鋼板をプレス加工して形成された縦長の基枠体であり、平板で帯状の取付板５２を主要部として形成され、取付板５２には複数の取付孔が穿設される。
【００２６】
取付板５２の前面側の縁には、小さくＬ形に曲げるようにして曲折縁部５３が長手方向に沿って形成され、この曲折縁部５３は基枠体５１の長手方向の曲げ強度を上げると共に、筐体への装着時に、前扉との間の隙間をと閉鎖するように作用する。さらに、取付板５２の中央部には、その一部を直角に切り起こして小形の錠取付板部５２ａが形成され、この錠取付板部５２ａには後述のシリンダ錠５８が取り付けられる。このように、基枠体５１は全体として取付板５２を主体として薄形に形成されている。
【００２７】
取付板５２の上部寄りに、枢軸５４ａによって鉤部材５４が上側に傾動可能に軸支され、さらに取付板５２の下部寄りに、枢軸５５ａによって鉤部材５５が上側に傾動可能に軸支される。鉤部材５４，５５はフック状に形成され、その係止凹部を下側にして傾動可能に軸支される。また、鉤部材５４，５５は、基枠体５１の取付板５２から突出せず、その平面内に位置するように軸支されている。
【００２８】
このように取付板５２の平面に沿って回動可能に軸支された鉤部材５４，５５は、基枠体５１の取付板５２の取付面と平行に且つその平面内に配設されることになる。さらに、取付板５２上には連結杆５６が上下摺動可能に配設され、連結杆５６の上部は軸ピン５４ｂにより鉤部材５４の端部に連結され、連結杆５６の下部は軸ピン５５ｂにより鉤部材５５の端部に連結される。また、連結杆５６にはその中間部の２箇所に長孔が穿設され、その長孔にガイドピン５７ａ，５７ｂが挿通されて取付板２の上に固定され、これによって、連結杆５６はガイドピン５７ａ，５７ｂにガイドされて、取付板５２上をその長手方向（縦方向）に沿って上下に摺動可能とされる。
【００２９】
さらに、連結杆５６の軸ピン５４ｂの真下には、解錠時に後述の受け金具７０の傾斜板７３を押し出すための押し出し部５６ａが半円形部を突出するように形成され、同様に、連結杆５６の軸ピン５５ｂの真下には、解錠時に後述の受け金具７０の傾斜板７４を押し出すための押し出し部５６ｂが半円形部を突出するように形成される。また、連結杆５６の中間部には、後述のシリンダ錠５８の錠軸に固定される係合板５９が係合可能な係合部５６ｃが設けられている。
【００３０】
一方、取付板５２の中間部には、シリンダ錠５８が取り付けられる。シリンダ錠５８は円筒の元部にフランジを設けて形成され、取付板５２にはその円筒を挿入可能な孔が形成され、その孔にシリンダ錠５８を外側から挿入し、内側でフランジをねじ止めして固定される。これにより、シリンダ錠５８は基枠体５１の右側面側にその前面つまり鍵穴の部分を突出して固定されることになる。シリンダ錠５８の内側に突出した錠軸には、カム形状の係合板５９が固定され、係合板５９には上記連結杆５６の係合部５６ｃと係合可能な係合凸部と後述のスイッチ作動板６０の係合部６０ｂと係合可能な係合凸部が設けられる。
【００３１】
さらに、シリンダ錠５８の上方の取付板５２上には、光電スイッチ、近接スイッチなどの非接触スイッチ６１が取り付けられる。この非接触スイッチ６１は、ゲームのリセットスイッチなどとして使用されるもので、シリンダ錠５８の操作によりオンオフ作動する。このために、取付板５２上の連結杆５６との間には、図１１に示すように、スイッチ作動板６０が摺動可能に配設される。スイッチ作動板６０には作動片６０ａがその一部を折り曲げるように形成され、その作動片６０ａを非接触スイッチ６１の内側に挿入してスイッチング作動させる。
【００３２】
スイッチ作動板６０には、上記係合板５９と係合可能な係合部６０ｂが設けられ、シリンダ錠５８の操作により係合板５９が回動して係合部６０ｂと係合し、スイッチ作動板６０が上方に摺動することにより、非接触スイッチ６１がスイッチング動作する。スイッチ作動板６０と上記連結杆５６との間には、コイルばね６２が架け渡され、連結杆５６を上方に付勢し、スイッチ作動板６０を下方に付勢している。一方、取付板５２の下部には、支持板６３が略水平に設けられ、前扉の閉鎖時に後述の受け金具７０側の支持ローラ７５が支持板６３上に乗り上げ、それを支持するようにしている。
【００３３】
図１２、図１３は、上記施錠装置本体の鉤部材５４，５５を受けて係止する受け金具７０の正面図及び左側面図を示している。この受け金具７０のフレーム部は、ゲーム機の前扉の内側に固定されるように上下に２分割して形成され、そこに複数の取付孔が穿設される。上側のフレーム部には、鉤部材５４と係合可能な板状の係止部７１が扉の背面側に少しシフトして縦に設けられ、下側のフレーム部には鉤部材５５と係合可能な係止部７２が同様な位置に設けられる。
【００３４】
さらに、これらの係止部７１，７２の下縁部には、傾斜板７３，７４が下方に斜めに傾斜して設けられている。この傾斜板７３，７４は、解錠時に上記連結杆５６の押し出し部５６ａ，５６ｂに接触して押し出し力が付与される。さらに、下側の受け金具７０の下端には、支持ローラ７５が回動可能に軸支され、前扉の閉鎖時に上記施錠装置本体側の支持板６３上に乗り上げて転動するように設けられる。
【００３５】
上記のように構成された施錠装置本体は、図１４〜図１６に示すように、ゲーム機の筐体７８の内側の縦枠部分に、その取付板５２を側壁に当て、その曲折縁部５３を筐体７８の前縁部から少し前に出すようにして、且つ鉤部材５４、５５を前扉８０側に向けて取付けられる。
【００３６】
このとき、シリンダ錠５８は、図８〜図１０に示すように、筐体７８の正面側に突出し、筐体７８の側部の正面側中央部には、このシリンダ錠５８の周囲を包囲するように、シリンダ錠カバー７９が設けられる。つまり、筐体７８の側部の正面側中央部にシリンダ錠の周囲を覆う形状のシリンダ錠カバー７９が突設され、そこにシリンダ錠５８を挿入するための孔が形成され、その孔にシリンダ錠５８は挿入されて装着される。シリンダ錠５８の鍵穴の正面はそのシリンダ錠カバー７９の前面から正面側に現れることになる。
【００３７】
このように、ゲーム機の筐体７８内に施錠装置本体の基枠体５１が取り付けられるが、基枠体５１は薄型に形成されているために、筐体の内壁付近の非常に狭いスペースに装着することができる。また、取付板５２の曲折縁部５３は前扉８０と筐体７８との隙間を塞ぐように作用する。
【００３８】
一方、図１４、図１５に示すように、前扉８０の内側には、受け金具７０の上側の係止部７１と下側の係止部７２が、上記上下の鉤部材５４、５５に対向した位置に取付けられる。また、受け金具７０の支持ローラ７５は、取付板５１の支持板６３に対応した位置に位置し、前扉８０の閉鎖時の支持板６３上に乗り上げるようにする。さらに、前扉８０の自由端側の中央部にシリンダ錠カバー７９がシリンダ錠５８をカバーするように設けられ、前扉８０の閉鎖時に、それを挿入させるための開口凹部８１が、前扉８０の自由端の側部に形成されている。
【００３９】
ゲーム機の前扉８０を閉じると、前扉側に固定された受け金具７０の係止部７１，７２の上縁部が、筐体７８側の施錠装置本体の上下の鉤部材５４、５５に当たり、鉤部材５４，５５がコイルばね６２の付勢力に抗して上側に傾動し、鉤部材の係合凹部に係止部の縁部が入ったところで、コイルばね６２の付勢力によって鉤部材５４，５５が水平位置に戻り、その係止部７１，７２に係止される。このとき、前扉８０側の受け金具７０の支持ローラ７５は、筐体７８側の取付板５１の支持板６３に乗り上げ、これにより前扉８０が支持板６３から持上げ力を付与され、重量のある前扉であってその位置が下方にずれた状態でも、適正位置に持ち上げられて、閉鎖される。
【００４０】
前扉８０を解錠する場合は、前扉８０の正面側縁部に位置する筐体７８のカバー７９内のシリンダ錠５８にキーを差し込み、シリンダ錠５８の錠軸を右側に回すと、係合板５９が同方向に回転し、その係合板５９と連結杆５６の係合部５６ｃとが係合して連結杆５６を下方へ摺動させる。これにより、図１５のように、上下の鉤部材５４、５５が上方へ回動し、前扉８０側の受け金具７０の係止部７１，７２との係合が外れ、前扉８０は開放可能な状態となる。また、このとき、図１８のように、連結杆５６に設けた押し出し部５６ａ，５６ｂが受け金具７０側の傾斜板７３，７４に当たって、それを押し出すつまり前扉８０を前方に押し開くように作用し、これにより、前扉８０が前方に開放される。
【００４１】
スロットマシンなどのゲーム機は、その筐体の前縁部がその上部を後にその下部を前に出すように傾斜して形成され、前扉がその傾斜に倣って装着されているため、扉の自重により自然に閉鎖力が作用し、シリンダ錠を解錠し鉤部材の係止を解除しただけでは、前扉を開放状態としにくい。しかし、上記のように、キーをシリンダ錠５８に差し込んで回すだけで、押し出し部５６ａ，５６ｂが受け金具７０側の傾斜板７３，７４に当たって、前扉８０を前方に押し開くように作用するため、前扉８０を容易に開放することができる。
【００４２】
一方、ゲーム機のリセット操作を行なう際には、シリンダ錠５８の鍵穴にキーを差し込み、キーを左側に回して係合板５９を同方向に回動させる。このとき、係合板５９がスイッチ作動板６０の係合部６０ｂと係合してこれを上方に摺動させ、その作動片６０ａが非接触スイッチ６１の検出部（挿入空間）に進入し、非接触スイッチ６１がスイッチング動作を行って、ゲーム機にリセット信号を発生させる。
【００４３】
このように、施錠装置の基枠体５１は、筐体７８内に縦に取り付けられ、ゲーム機の前扉８０には受け金具７０のみが取り付けられる。このため、従来、前扉の内側に取り付けていた施錠装置本体の取付スペースが不要となり、前扉には電気部品などを、余裕をもって配置することができ、また、前扉内に取り付ける表示装置、装飾装置などを大きくするなど、ゲーム機の設計の自由度を上げることができ、また、前扉の軽量化も可能となる。さらに、シリンダ錠５８は筐体側に配置され、前扉を閉じたとき、シリンダ錠５８の鍵穴面が前扉の正面側に露出することになるが、シリンダ錠５８がシリンダ錠カバー７９内に挿入され、前扉の閉鎖時には、前扉に設けた開口凹部８１にシリンダ錠カバー７９が嵌入するため、違和感なく鍵穴面を前扉の一部に露出させることができる。
【図面の簡単な説明】
【００４４】
【図１】本発明の一実施形態を示すパチンコ機の施錠装置の正面図である。
【図２】その右側面図である。
【図３】その左側面図である。
【図４】施錠装置の分解状態の左側面図である。
【図５】施錠装置をパチンコ機の本体枠に取り付けた状態の正面図である。
【図６】前面枠を閉じた状態での部分断面図である。
【図７】前面枠を開いた状態の部分断面図である。
【図８】他の実施形態を示す施錠装置の正面図である。
【図９】同施錠装置の右側面図である。
【図１０】同施錠装置の左側面図である。
【図１１】同施錠装置の分解左側面図である。
【図１２】受け金具の正面図である。
【図１３】受け金具の左側面図である。
【図１４】使用状態を示す開放時の左側面図である。
【図１５】使用状態を示す閉鎖時の左側面図である。
【図１６】使用状態を示す開放時の右側面図である。
【図１７】使用状態を示す正面図である。
【図１８】開放操作時の押し出し部５６ｂの動作を示す説明図である。
【符号の説明】
【００４５】
１−本体枠
２、３−鉤部材
４−連結杆
５−シリンダ錠
６−カム板
１０−本体枠
１８−シリンダ錠カバー
２０、２１−受け金具
３０−前面枠
３１−ガラス枠
３２−開口凹部
【図１】
2006255244.tif 000003
【図２】
2006255244.tif 000004
【図３】
2006255244.tif 000005
【図４】
2006255244.tif 000006
【図５】
2006255244.tif 000007
【図６】
2006255244.tif 000008
【図７】
2006255244.tif 000009
【図８】
2006255244.tif 000010
【図９】
2006255244.tif 000011
【図１０】
2006255244.tif 000012
【図１１】
2006255244.tif 000013
【図１２】
2006255244.tif 000014
【図１３】
2006255244.tif 000015
【図１４】
2006255244.tif 000016
【図１５】
2006255244.tif 000017
【図１６】
2006255244.tif 000018
【図１７】
2006255244.tif 000019
【図１８】
2006255244.tif 000020